(57)【要約】      （修正有）【課題】比較的安価なコストで狭いエリヤから広く複雑な地形の場所でも手軽に防犯対策ができ、取り扱いも簡単な侵入警報装置を提供する。【解決手段】断線警報器と電線を組み合わせて、電線を切ったり磁石式コネクタの電気的接続の外れ及び接触式コネクタの電気的接続の外れにより田畑の広いエリヤの防犯を安価なコストで実現するものである。センサーに電線を使用し、断線警報器は自動復帰する構造のため設置や動作テストは１人でできるようになった。又、一旦、動作したあとでも電線が接続された時は自動的に警戒状態にもどる。検出線の電線をループ状に接続しておいて、回路が一箇所でも断線の状態になると、断線警報回路が作動して大音響の警報が鳴る仕組みである。【選択図】図１
0003146947.tif 000002
【実用新案登録請求の範囲】
【請求項１】
断線警報器とそれぞれを相互に接続する複数の電線からなり、電線を切断して電源が入っている断線警報器から大音響の警報が発生して泥棒や野生動物の進入を検知し、電線が接続された時に自動的に警戒状態に復帰するようにした構造の侵入警報装置。
【請求項２】
断線警報器とそれぞれを相互に接続する複数の磁石式コネクタからなり、磁石式コネクタの電気的接続が外れると電源の入っている断線警報器から大音響の警報が発生して泥棒や野生動物の進入を検知し、磁石式コネクタが接続された時に自動的に警戒状態に復帰するようにした構造の侵入警報装置。
【請求項３】
断線警報器とそれぞれを相互に接続する複数の接触式コネクタからなり、接触式コネクタの電気的接続が外れると電源の入っている断線警報器から大音響の警報が発生して泥棒や野生動物の進入を検知し、接触式コネクタが接続された時に自動的に警戒状態に復帰するようにした構造の侵入警報装置。
【考案の詳細な説明】
【技術分野】
【０００１】
最近、ナシ、ブドウ、スイカ、お米等、農産物の盗難被害が増大している。収穫直前を狙い、複数の泥棒が夜間、短時間に田畑に侵入し、盗んでいく手口が多くなっている。また警備の手薄い農作物の倉庫に侵入し、出荷前の大量のお米を盗む手口も全国で発生している。また、クマ、イノシシ、サル、シカ等の野生動物が田畑の収穫物を食い荒らす被害も増えている。本考案はこのような耕作者が大切に育てきた収穫物の盗難や野生動物による食い荒らし被害を抑止するために利用される。また建設資材置き場や危険区域への侵入検知、出入り禁止場所への無断侵入を検知するためにも利用される。
【背景技術】
【０００２】
従来より、田畑の広いエリヤの侵入防犯対策のひとつに、赤外線ビームセンサーがある。この方法は障害物のない広いエリヤに効果的であるが風によるごみや、落ち葉等による誤作動が多くまた電流を多く消費するため、商用電源が必要であった。そして設置工事に多くの費用がかかり特殊な場所以外ではあまり使われていないのが現状である。また、静電容量の変化を利用する方法もあるが設備が大げさで、コスト面でも田畑では到底使用できなかった。
【考案の開示】
【考案が解決しようとする課題】
【０００３】
本装置の図１は検出１〜４の電線の中で、１本以上が断線するとその断線した電線に対応した検出１〜４のLEDが点滅し警報ブザーが鳴る。すべての断線が接続されると、自動的に警戒状態に戻る。
【０００４】
本装置の図２は導電性のある磁石を利用し、ある程度の張力がかかった時に電気的接続が外れるようにしたコネクタである。
【０００５】
本装置の図３は金属のバネ力よる接触力を利用し、ある程度の張力がかかった時に電気的接続が外れるようにしたコネクタである。
【０００６】
本装置を設置してそれらを見えにくい電線を接続し、泥棒や野生動物が田畑に侵入しようとすると、電線に体の一部をとられて切断したりすることにより警報が鳴る。この出願ではセンサーに電線を使用しており、電線が切断して警報が発生しても再び電線が接続されれば、自動的に警報を解除して通常の監視状態になる。
【０００７】
本装置を設置してそれらを見えにくい電線に磁石式コネクタを接続し、泥棒や野生動物が田畑に侵入しようとすると、電線に体の一部をとられて磁石式コネクタの電気的接続が外れることにより警報が鳴る。この出願ではセンサーに磁石式コネクタを使用しており、磁石式コネクタの電気的接続が外れることで警報が発生しても再び磁石式コネクタが接続されれば、自動的に警報を解除して通常の監視状態になる。
【０００８】
本装置を設置してそれらを見えにくい電線に接触式コネクタを接続し、泥棒や野生動物が田畑に侵入しようとすると、電線に体の一部をとられて接触式コネクタの電気的接続が外れることにより警報が鳴る。この出願ではセンサーに接触式コネクタを使用しており、接触式コネクタの電気的接続が外れることで警報が発生しても再び接触式コネクタが接続されれば、自動的に警報を解除して通常の監視状態になる。
【課題を解決するための手段】
【０００９】
本案はセンサーに電線を使用し、断線警報器は自動復帰する構造のため設置や動作テストは１人でできるようになった。又、一旦、動作したあとでも電線が接続された時は自動的に警戒状態にもどる。（〔図１〕参照）
すなわち、〔図６、図７〕の検出線の図において電線をループ状に接続しておいて、回路が一箇所でも断線の状態になると〔図１２〕、断線警報回路が作動して大音響の警報が鳴る仕組みである。
【００１０】
本案はセンサーに電線の途中に磁石式コネクタを使用し、断線警報器は自動復帰する構造のため設置や動作テストは１人でできるようになった。又、一旦、動作したあとでも磁石式コネクタが接続された時は自動的に警戒状態にもどる。（〔図１〕参照）
すなわち、〔図８、図９〕の検出線の図において電線をループ状に接続しておいて、回路の一部である磁気式コネクタの電気的接続が外れた状態になると〔図１３〕、断線警報回路が作動して大音響の警報が鳴る仕組みである。  
【００１１】
本案はセンサーに電線の途中に接触式コネクタを使用し、断線警報器は自動復帰する構造のため設置や動作テストは１人でできるようになった。又、一旦、動作したあとでも接触式コネクタが接続された時は自動的に警戒状態にもどる。（〔図１〕参照）
すなわち、〔図１０、図１１〕の検出線の図において電線をループ状に接続しておいて、回路の一部である接触式コネクタの電気的接続が外れた状態になると〔図１４〕、断線警報回路が作動して大音響の警報が鳴る仕組みである。  
【００１２】
通常断線警報器は電線が切れたかどうかを見る為に乾電池による長時間動作は不可能であった。また長時間動作の為に電線に流す電流を小さくした時、検出部の感度が高すぎて、実際には電線が切れているのに誘導電流と漏れ電流が電線に流す電流より大きいので検出できない事が判ってきた。（〔図４〕参照）本案では断続的に電流を有る程度の大きさで流すことにより、長時間動作を可能とし、誘導電流と漏れ電流の誤動作を防止する事ができた。（〔図５〕参照）
【００１３】
通常断線警報器は磁石式コネクタが外れるかを見る為に乾電池による長時間動作は不可能であった。また長時間動作の為に磁石式コネクタに流す電流を小さくした時、検出部の感度が高すぎて、実際には磁石式コネクタが外れるのに誘導電流と漏れ電流が電線に流す電流より大きいので検出できない事が判ってきた。（〔図４〕参照）本案では断続的に電流を有る程度の大きさで流すことにより、長時間動作を可能とし、誘導電流と漏れ電流の誤動作を防止する事ができる。（〔図５〕参照）
【００１４】
通常断線警報器は接触式コネクタが外れるかを見る為に乾電池による長時間動作は不可能であった。また長時間動作の為に接触式コネクタに流す電流を小さくした時、検出部の感度が高すぎて、実際には接触式コネクタが外れるのに誘導電流と漏れ電流が電線に流す電流より大きいので検出できない事が判ってきた。（〔図４〕参照）本案では電流を断続的に有る程度の大きさで流すことにより、長時間動作を可能とし、誘導電流と漏れ電流の誤動作を防止する事ができる。（〔図５〕参照）
【考案の効果】
【００１５】
本装置は比較的安価なコストで狭いエリヤから広く複雑な地形の場所でも手軽に防犯対策ができ、取り扱いも簡単なので田畑の防犯対策のみならず、倉庫、資材置き場、危険区域の侵入禁止警報にも使用できる。
【図面の簡単な説明】
【００１６】
【図１】本考案の全体の構成図である。
【図２】本考案の磁石式コネクタ断面図である。
【図３】本考案の接触式コネクタ構造図である。
【図４】本考案の長時間動作の為、検出線電流を下げた時の説明図である。
【図５】本考案の検出線電流を断続的に、ある程度の大きさ流した時の説明図である。
【図６】本考案の検出線を２条張った時の図である。
【図７】本考案の検出線を４条張った時の図である。
【図８】本考案の電線を２条張り、さらに磁石式コネクタ使用時の図である。
【図９】本考案の電線を４条張り、さらに磁石式コネクタ使用時の図である。
【図１０】本考案の電線を２条張り、さらに接触式コネクタ使用時の図である。
【図１１】本考案の電線を４条張り、さらに接触式コネクタ使用時の図である。
【図１２】本考案の検出線を４条張り、さらに下側の2本切断された状態の図である。
【図１３】本考案の電線を２条張り、さらに磁石式コネクタの下側が外れた状態の図である。
【図１４】本考案の電線を２条張り、さらに接触式コネクタの上側が外れた状態の図である。
【図１５】変形地形の設置場所の設置例の平面図である。
【図１】
0003146947.tif 000003
【図２】
0003146947.tif 000004
【図３】
0003146947.tif 000005
【図４】
0003146947.tif 000006
【図５】
0003146947.tif 000007
【図６】
0003146947.tif 000008
【図７】
0003146947.tif 000009
【図８】
0003146947.tif 000010
【図９】
0003146947.tif 000011
【図１０】
0003146947.tif 000012
【図１１】
0003146947.tif 000013
【図１２】
0003146947.tif 000014
【図１３】
0003146947.tif 000015
【図１４】
0003146947.tif 000016
【図１５】
0003146947.tif 000017
【手続補正書】
【提出日】平成20年10月3日(2008.10.3)
【手続補正１】
【補正対象書類名】図面
【補正対象項目名】図３
【補正方法】変更
【補正の内容】
【図３】
0003146947.tif 000018